(57)【特許請求の範囲】
【請求項１】
先軸筒と、
先軸筒に対して相対回転可能に連結された中軸筒と、
中軸筒に対して相対回転可能に連結された後軸筒と、
後軸筒の後端側から繰出し可能に設けられた印鑑と、
先軸筒の先端側からその先端が突出可能に設けられた筆記体と、
中軸筒と一体的に回転し、中軸筒と後軸筒との間の相対回転によって、後軸筒内を螺旋状に進みながら印鑑を軸線方向に移動させる印鑑押出スライダーと、
先軸筒と中軸筒との間の相対回転によって、筆記体を軸線方向に移動させる筆記体前進機構と、
印鑑押出スライダーの後端に相対回転可能に連結されて、印鑑を備え、後軸筒に対して相対回転不能に摺動可能な印鑑受けと、を備え、
後軸筒の内周面に螺旋溝が形成されて、印鑑押出スライダーに該螺旋溝に嵌入する突起が形成され、
中軸筒の後部が、印鑑押出スライダー内に一体的に回転するように、嵌挿され、
中軸筒と後軸筒との間の相対回転により、印鑑押出スライダーが後軸筒内を螺旋状に進むことにより、印鑑受けが印鑑押出スライダーに押圧されて、後軸筒内を直線的に軸線方向に移動する印鑑付き筆記具。
【請求項２】
先軸筒と、
先軸筒に対して相対回転可能に連結された中軸筒と、
中軸筒に対して相対回転可能に連結された後軸筒と、
後軸筒の後端側から繰出し可能に設けられた印鑑と、
先軸筒の先端側からその先端が突出可能に設けられた筆記体と、
中軸筒と一体的に回転し、中軸筒と後軸筒との間の相対回転によって、後軸筒内を螺旋状に進みながら印鑑を軸線方向に移動させる印鑑押出スライダーと、
先軸筒と中軸筒との間の相対回転によって、筆記体を軸線方向に移動させる筆記体前進機構と、
軸線方向に直交する第１回動軸を中心として後軸筒の後端側を開閉可能に軸支された蓋と、
後軸筒に対して軸線方向に摺動可能なガイドストッパーと、
印鑑を保持すると共に前記印鑑押出スライダーに連結された印鑑受けと、
を備え、
前記ガイドストッパーの一端が前記第１回動軸に平行な第２回動軸において前記蓋に軸支されており、
印鑑が退没した状態で、印鑑受けが前記ガイドストッパーに対して軽く係合しており、
印鑑受けが軸線方向に繰り出されたときに印鑑受けと共にガイドストッパーが軸線方向に摺動し、第２回動軸を軸線方向に移動させて前記蓋を第１回動軸の回りで揺動させる一方で、その後、印鑑受けとガイドストッパーとの係合が外れて印鑑受けがガイドストッパーから独立的に繰り出される印鑑付き筆記具。
【請求項３】
前記筆記体前進機構は、中軸筒に形成されたカム傾斜面と、該カム傾斜面に係合する突起と、から構成され、該突起が、先軸筒と一体的に回転し且つ筆記体と一体的に軸方向に移動する筆記体受けに設けられる請求項１または２記載の印鑑付き筆記具。
【発明の詳細な説明】
【０００１】
【発明の属する技術分野】
本発明は、印鑑付き筆記具に関する。
【０００２】
【従来の技術】
従来、この種の印鑑付き筆記具としては、実用新案登録番号第２５２５５３５号、同２５１９８１９号等に記載されたものがある。
これらの公報に記載された印鑑付き筆記具では、後軸の外周に軸方向に推移可能にキャップが被嵌されており、先軸に対してキャップを回転したときに、先軸内にある複数の筆記体のそれぞれが先軸の先端孔から交互に出没可能となっている。
後軸の後端部内には印鑑が設けられており、キャップの頂端開口部にその開口部を開閉する蓋体が装着されており、蓋体は開口部を自動的に閉塞するようバネによって付勢されている。
そして、印鑑を使用する場合には、キャップを後軸に対して前進させることにより、後軸の後端部内に設けられた印鑑の周囲にあるカバーが蓋体を押圧して、前記キャップの開口部より印鑑を後方へ突出させて、捺印ができるようになっている。
【０００３】
キャップは後軸に対して、前後退位置に係止されるように、例えば、前記実用新案登録第２５２５５３５号のものは、押釦を設けたレバーをクリップに軸着し、レバーに設けられた係合突起が、後軸の側面部に設けられた２つの係合溝のいずれかに係止するようになっている。こうして、印鑑がキャップの開口部より突出したときと、蓋体がキャップの開口部を閉塞しているときとで、キャップが後軸に係止されるようになっている。
また、例えば、前記実用新案登録第２５１９８１９号のものは、後軸内部に一体的に設けられた円筒カムの側面に設けられた係止突起が、キャップの側面に設けられた矩形窓を連通しており、矩形窓に設けられた２つの突部のいずれかに係止するようになっている。こうして、印鑑がキャップの開口部より突出したときと、蓋体がキャップの開口部を閉塞しているときとで、キャップが後軸に係止されるようになっている。
【０００４】
【発明が解決しようとする課題】
即ち、上記従来の印鑑付き筆記具では、キャップが後軸に対して軸方向に移動する構成となっているため、例えば、キャップを持って印鑑を紙面に押し付けた時に、後軸と共に印鑑が退却してしまうようなことがないよう、キャップを後軸に対して係止する必要がある。同様に、キャップに軸着された蓋体が開口部を閉塞しているときにも、キャップが後軸に対して落下して、印鑑が露出しないように、キャップを後軸に対して係止する必要がある。
【０００５】
このように係止する機構を備えているために、実用新案登録第２５２５５３５号のものでは、キャップを後軸に対して移動させる際には、押釦を押して係止を解除しなければならず、その操作が煩わしいという課題がある。また、実用新案登録第２５１９８１９号のものでは、係止が弱すぎると用をなさない反面、係止を強くしすぎると、キャップを後軸に対して移動させる際に、その移動が困難になる、という課題がある。
本発明はかかる課題に鑑みなされたもので、請求項１ないし請求項３記載の発明は、印鑑の繰り出す操作をスムーズに行うことができる印鑑付き筆記具を提供することをその目的とする。
【０００６】
【課題を解決するための手段】
上記目的を達成するために本発明のうち請求項１記載の発明の印鑑付き筆記具は、先軸筒と、先軸筒に対して相対回転可能に連結された中軸筒と、中軸筒に対して相対回転可能に連結された後軸筒と、後軸筒の後端側から繰出し可能に設けられた印鑑と、先軸筒の先端側からその先端が突出可能に設けられた筆記体と、中軸筒と一体的に回転し、中軸筒と後軸筒との間の相対回転によって、後軸筒内を螺旋状に進みながら印鑑を軸線方向に移動させる印鑑押出スライダーと、先軸筒と中軸筒との間の相対回転によって、筆記体を軸線方向に前進させる筆記体前進機構と、印鑑押出スライダーの後端に相対回転可能に連結されて、印鑑を備え、後軸筒に対して相対回転不能に摺動可能な印鑑受けと、を備え、後軸筒の内周面に螺旋溝が形成されて、印鑑押出スライダーに該螺旋溝に嵌入する突起が形成され、中軸筒の後部が、印鑑押出スライダー内に一体的に回転するように、嵌挿され、中軸筒と後軸筒との間の相対回転により、印鑑押出スライダーが後軸筒内を螺旋状に進むことにより、印鑑受けが印鑑押出スライダーに押圧されて、後軸筒内を直線的に軸線方向に移動する。
【０００７】
中軸筒と後軸筒との間で相対回転を生じさせると、印鑑押出スライダーが後軸筒内を螺旋状に進みながら印鑑を直線的に軸線方向に繰り出す。これにより、印鑑が後軸筒の後端側から繰り出されて使用することができるようになる。印鑑を紙面に押圧しても、印鑑押出スライダーは、後軸筒内を螺旋状に進むだけであり、直線的に軸線方向に移動しないため、印鑑押出スライダー及び印鑑は退没しない。
先軸筒と中軸筒との間で相対回転を生じさせると、筆記体前進機構によって、筆記体が軸線方向に移動する。これにより、筆記体が先軸筒の先端側から突出して使用することができるようになる。
【０００８】
また、請求項２記載の発明は、先軸筒と、先軸筒に対して相対回転可能に連結された中軸筒と、中軸筒に対して相対回転可能に連結された後軸筒と、後軸筒の後端側から繰出し可能に設けられた印鑑と、先軸筒の先端側からその先端が突出可能に設けられた筆記体と、中軸筒と一体的に回転し、中軸筒と後軸筒との間の相対回転によって、後軸筒内を螺旋状に進みながら印鑑を軸線方向に移動させる印鑑押出スライダーと、先軸筒と中軸筒との間の相対回転によって、筆記体を軸線方向に前進させる筆記体前進機構と、軸線方向に直交する第１回動軸を中心として後軸筒の後端側を開閉可能に軸支された蓋と、後軸筒に対して軸線方向に摺動可能なガイドストッパーと、印鑑を保持すると共に前記印鑑押出スライダーに連結された印鑑受けと、を備え、前記ガイドストッパーの一端が前記第１回動軸に平行な第２回動軸において前記蓋に軸支されており、印鑑が退没した状態で、印鑑受けが前記ガイドストッパーに対して軽く係合しており、印鑑受けが軸線方向に繰り出されたときに印鑑受けと共にガイドストッパーが軸線方向に摺動し、第２回動軸を軸線方向に移動させて前記蓋を第１回動軸の回りで揺動させる一方で、その後、印鑑受けとガイドストッパーとの係合が外れて印鑑受けがガイドストッパーから独立的に繰り出される。
【０００９】
中軸筒と後軸筒との間で相対回転を生じさせると、印鑑押出スライダーが螺旋状に進みながら軸線方向に移動し、印鑑受けが印鑑押出スライダーと共に移動する。
印鑑受けは、印鑑が退没した状態で、ガイドストッパーに対して軽く係合しているので、印鑑受けが繰り出されたときに、印鑑受けとガイドストッパーが後軸筒に対して軸線方向に摺動する。これによって、第２回動軸が軸線方向に移動し、蓋は第１回動軸を中心として回動し、後軸筒の後端側を開放する。さらに、印鑑受けが繰り出されると、印鑑受けとガイドストッパーとの係合が外れるので、印鑑受けがガイドストッパーから独立的に繰り出されて、印鑑が後軸筒から十分に突出する。
印鑑受けが退没されると、逆の動作によって、印鑑が退没し、蓋が後軸筒の後端側を閉鎖する。
【００１０】
また、請求項３記載の発明は、請求項１または２記載のものにおいて、前記筆記体前進機構が、中軸筒に形成されたカム傾斜面と、該カム傾斜面に係合する突起と、から構成され、該突起が、先軸筒と一体的に回転し且つ筆記体と一体的に軸方向に移動する筆記体受けに設けられる。
中軸筒と先軸筒との間で相対回転を生じさせると、先軸筒と一体的に回転する突起がカム傾斜面に沿って移動し、筆記体受け及び筆記体が軸線方向に移動する。
【００１１】
【発明の実施の形態】
以下、図面を用いて本発明の実施の形態を説明する。
図において、印鑑付き筆記具１０は、先軸筒１２と、先軸筒１２に対して相対回転可能に連結された中軸筒１４と、中軸筒１４に対して相対回転可能に連結された後軸筒１６とを備えている。
先軸筒１２の先部は、先軸筒１２本体と一体的に螺着された先具１２ａとなっている。本実施の形態では、後述の筆記体であるレフィール１８を交換可能とするために、先具１２ａは本体から分離可能となっているが、これに限るものではなく、先具１２ａは、先軸筒１２の本体と一体に形成することも可能である。
先軸筒１２の内部には、筆記体であるレフィール１８が設けられており、レフィール１８は、後述の筆記体前進機構２４によって、その先端が先軸筒１２の先具１２ａの先端口より突出可能となっている。レフィール１８はリターンスプリング１９によって後方へ付勢されている。レフィール１８の後部は、筆記体受け２０内に嵌挿されて、レフィール１８の後端が筆記体受け２０の後端部に当接している。筆記体受け２０は、先軸筒１２の段部１２ｂとの間に介設された第２リターンスプリング２２によって後方へ付勢されていると共に、先軸筒１２の後部内周面に形成されたキー溝１２ｃと嵌合するキー２０ｂによって先軸筒１２と一体的に回転するようになっている。
【００１２】
さらに、筆記体受け２０は、先軸筒１２と中軸筒１４との間で相対回転を生じさせることによって、筆記体前進機構２４によって中軸筒１４内を前進、退没することができるようになっている。即ち、筆記体受け２０には、その略中間部の周面にカム突起２０ａが設けられており、カム突起２０ａは、中軸筒１４の内周面に形成されたカム傾斜面１４ａに係止されている。図３（ｃ）に、カム傾斜面１４ａの展開図を示す。カム傾斜面１４ａの最後部１４ｂにカム突起２０ａがあるときに、筆記体受け２０及びレフィール１８が図１に示す如く退没し、最前部１４ｃにあるときに、筆記体受け２０及びレフィール１８が図２に示す如く前進することになる。
【００１３】
中軸筒１４の後部１４ｄは、印鑑押出スライダー２６内に嵌挿される。後部１４ｄの外周面に形成されたキー１４ｅと、印鑑押出スライダー２６の内周面に形成されたキー溝２６ａとが嵌合することにより、中軸筒１４と印鑑押出スライダー２６とは一体的に回転するようになっている。印鑑押出スライダー２６の先端外周面には突起２６ｂが形成されており、突起２６ｂは、後軸筒１６の内周面に形成された螺旋溝１６ａに嵌入している。この突起２６ｂが螺旋溝１６ａに沿って移動することで、印鑑押出スライダー２６が後軸筒１６内を螺旋状に進むことができる。
印鑑押出スライダー２６の後端には印鑑受け２８が相対回転可能に連結される。印鑑受け２８には、さらに印鑑ホルダ３０が連結され、印鑑ホルダ３０は、印鑑カバー３２と共にインキ浸透型の印鑑３４を保持している。印鑑受け２８は、その側面に突起２８ａを有しており、この突起２８ａがガイドストッパー３８の摺動孔３８ａに摺動可能に嵌めこまれている。
【００１４】
ガイドストッパー３８は、後軸筒１６の周方向の一部で中ぐりが大きくなったところに収設され、後軸筒１６に対して摺動可能となっている。図６に示したように、ガイドストッパー３８の摺動孔３８ａは、その両端部３８ｂ、３８ｃが幅広で、中間部３８ｄは幅狭となっている。そして、端部３８ｂ、３８ｃでは、前記印鑑受け２８の突起２８ａがちょうど良く適合されているのに対して、端部３８ｂまたは端部３８ｃから中間部３８ｄへ移動するには抵抗があり、突起２８ａは自由に端部３８ｂまたは３８ｃから中間部３８ｄへと移動することはできないようになっている。結果として、突起２８ａはガイドストッパー３８に対してその端部３８ｂ（または、３８ｃ）において軽く係合されることになる。また、突起２８ａが中間部３８ｄを移動中は、突起２８ａが抵抗を受けつつ移動するようになっており、特に、中間部３８ｄはその一番広がりやすい中央部が幅狭となっており、常に一定の抵抗力を突起２８ａに与えるようになっている。
【００１５】
ガイドストッパー３８の一端３８ｅは延長されて、一端３８ｅに後述の第２回動軸４６となる枢ピンが挿入される挿入孔３８ｆが形成されている。
後軸筒１６には、印鑑３４の設けられた一端側を開閉する蓋４２が取り付けられている。蓋４２の基部４２ａには、軸線方向に直交する挿入孔４２ｂが形成されており、挿入孔４２ｂに挿入された枢ピンが第１回動軸４４となって、第１回動軸４４を中心として後軸筒１６の一端側を開閉可能に、後軸筒１６に軸支されている。
また、蓋４２の基部４２ａには、前記挿入孔４２ｂに挿入された枢ピンによってガイドストッパー３８の一端３８ｅが軸支されており、枢ピンが第２回動軸４６を構成している。
【００１６】
以上のように構成される印鑑付き筆記具の操作を以下に説明する。
まず、筆記を行うときには、レフィール１８が収納されている状態から、中軸筒１４を先軸筒１２に対してある方向に回動する。これにより、筆記体前進機構２４のカム突起２０ａが最後部１４ｂを出発しカム傾斜面１４ａを移動し最前部１４ｃに到達する。これにより、最後部１４ｂと最前部１４ｃとの間の軸方向の距離分だけ、図２に示すように、レフィール１８が先軸筒１２に対して前進し、レフィール１８の先端が先軸筒１２の先具１２ａより突出して筆記が行われるようになる。
また、レフィール１８の収納を行うときは、中軸筒１４を先と反対に回動することによって、逆の動作が起こり、レフィール１８が退没する。
【００１７】
次に、印鑑３４を使用する場合には、中軸筒１４を後軸筒１６に対して回動する。図１に示すように、蓋４２が閉鎖された状態から中軸筒１４をある方向に回動させると、中軸筒１４と回り止めされた印鑑押出スライダー２６の突起２６ｂが後軸筒１６の螺旋溝１６ａに沿って軸線方向を図中、左方向に移動し、印鑑受け２８を同じ方向に押し出す。印鑑受け２８の突起２８ａは、印鑑３４が退没している状態で、ガイドストッパー３８の端部３８ｂに位置付けられており、前述したようにその場所で軽く係合されているので、ガイドストッパー３８は、図４に示したように、印鑑受け２８と共に左方向にＬだけ移動する。こうしてガイドストッパー３８の一端３８ｅと共に第２回動軸４６が左方向へＬだけ移動し、蓋４２の基部４２ａは、固定的な第１回動軸４４を中心として、図中右回りに回転し後軸筒１６の後端側を開放する。さらに、中軸筒１４の回動を続けると、蓋４２が第１回動軸４４に拘束されており、ガイドストッパー３８はこれ以上に左方向へ移動することはできないため、印鑑受け２８の突起２８ａは、ガイドストッパー３８の端部３８ｂとの係合から外れて中間部３８ｄへと移動して、摺動孔３８ａを摺動する。この際に、中間部３８ｄは幅狭となっており、突起２８ａを両脇から締め付けるために、印鑑受け２８がふらつくことなく、まっすぐに軸線方向をＬ２だけ移動することができる。こうして、印鑑受け２８がガイドストッパー３８から独立的に繰り出されて、印鑑受け２８と共に印鑑３４が繰出される。印鑑受け２８の突起２８ａが摺動孔３８ａの端部３８ｃへと到達すると、中間部３８ｄからの抵抗から解放されるため、操作者は節度感を得ることができる。印鑑受け２８は再びガイドストッパー３８に係合され、図５に示す状態となり、この状態で印鑑３４を所望の場所に向けて押し付けることで、押印することができる。
【００１８】
また、使用後に印鑑３４を収納するときには、先と反対の方向に中軸筒１４を回動する。これにより、印鑑受け２８は図中右方向に移動し、ガイドストッパー３８の摺動孔３８ａの端部３８ｃに係合されていた突起２８ａが摺動孔３８ａの中間部３８ｄへと移動する。このとき、突起２８ａが端部３８ｃに係合したままでガイドストッパー３８が印鑑受け２８と共に移動しても構わないが、好ましくは、蓋４２と第１回動軸４４である枢ピンとの間の摩擦によって、ガイドストッパー３８は蓋４２と共に静止しており、印鑑受け２８の突起２８ａがガイドストッパー３８の摺動孔３８ａを移動することが望ましい。そして、印鑑受け２８の突起２８ａがガイドストッパー３８の摺動孔３８ａの端部３８ｂに到達した後、ガイドストッパー３８が印鑑受け２８と共に右方向にＬだけ移動する。これにより、ガイドストッパー３８の一端３８ｅと共に第２回動軸４６が右方向へＬだけ移動し、蓋４２の基部４２ａは、固定的な第１回動軸４４を中心として、図中左回りに回転し後軸筒１６の一端側を閉鎖する。
【００１９】
後軸筒１６と中軸筒１４とが、軸線方向に相対移動しないため、これらを係止する機構を設ける必要は無く、係止の解除の操作もする必要が無いため、操作をスムーズに行うことができる。押印の際に、後軸筒１６（中軸筒１４または先軸筒１２）を手で押えながら印鑑３４を紙面等に押し付けると、印鑑押出スライダー２６が退没する方向への軸線方向の力を受けるが、印鑑押出スライダー２６は、中軸筒１４と一体的に回転し、後軸筒１６に対して直線的に軸線方向に移動することはできないため、退没することはない。
また、蓋４２の開閉と印鑑３４の繰出しとが独立的になされ、印鑑３４が蓋４２を押し開ける構成ではないために、蓋４２が印鑑３４に触れて汚れるようなことはない。
【００２０】
【発明の効果】
以上説明したように、請求項１ないし３記載の発明によれば、中軸筒と後軸筒との間の相対回転によって、後軸筒内を螺旋状に進みながら印鑑を軸線方向に繰り出す印鑑押出スライダーを備えており、後軸筒と中軸筒とが軸線方向に相対移動しないため、これらを係止する機構を設ける必要は無く、係止の解除の操作も必要が無い。よって、印鑑を繰り出す操作をスムーズに行うことができる。
【００２１】
また、請求項２記載の発明によれば、蓋の開閉と印鑑の繰り出しの両方が、後軸筒と中軸筒との相対回転によってなすことができ、蓋の開閉が印鑑の繰り出しと独立的になされるために、蓋が印鑑に触れて汚れるようなことはない。また、蓋を閉じた状態または蓋を開けた状態に保持するためのバネ等が必要無いため、バネ力の調整等が不要であり、安価に製造することができる。
【図面の簡単な説明】
【図１】本発明に係る印鑑付き筆記具の実施の形態を表す縦断面図である。
【図２】図１の印鑑付き筆記具の先部分の縦断面図であり、筆記体が前進している状態を表す。
【図３】（ａ）は図１の中軸筒の一部縦断面図、（ｂ）は（ａ）の３ｂ−３ｂ線に沿って見た断面図であり、（ｃ）は中軸筒のカム傾斜面の展開図である。
【図４】図１の印鑑付き筆記具の後部分の縦断面図であり、印鑑が繰り出される途中状態を表す。
【図５】図１の印鑑付き筆記具の後部分の縦断面図であり、印鑑が繰り出された状態を表す。
【図６】（ａ）はガイドストッパーの平面図、（ｂ）は縦断面図、（ｃ）は（ｂ）の６ｃ−６ｃ線に沿って見た断面図である。
【符号の説明】
１０  印鑑付き筆記具
１２  先軸筒
１４  中軸筒
１４ａ  カム傾斜面
１６  後軸筒
１８  レフィール（筆記体）
２０  筆記体受け
２０ａ  カム突起
２４  筆記体前進機構
２６  印鑑押出スライダー
２８  印鑑受け
３４  印鑑
３８  ガイドストッパー
４２  蓋
４４  第１回動軸
４６  第２回動軸
【図１】
0004236307.tif 000002
【図２】
0004236307.tif 000003
【図３】
0004236307.tif 000004
【図４】
0004236307.tif 000005
【図５】
0004236307.tif 000006
【図６】
0004236307.tif 000007